(57)【特許請求の範囲】
【請求項１】
充電を行う機器が載置される筐体と、
上記筐体内に収納された電源供給を行うための充電基板と、
上記充電基板に対して物理的かつ電気的に接続された出力端子と、
上記筐体の上記機器の載置面から突出するように該筐体に設けられる第１の当接部と、この第１の当接部と連動すると共に、上記充電基板に接続された出力端子を収納するための収納部、この収納部に収納されている出力端子を突出させるための出力端子突出用孔、及び上記筐体から突出する部分の反対側の位置に設けられた切り欠き部を備え、該第１の当接部よりも上記載置面からの突出量が少なくなるように上記筐体に設けられる第２の当接部とを有するアクチュエータと、
弾性部材で形成され、上記アクチュエータに対して上記各当接部を上記筐体の載置面から突出させる方向の勢力を付与する勢力付与手段と、
上記筐体に設けられ、上記充電を行う機器の非載置時において、上記アクチュエータの第２の当接部に当接し、上記各当接部が上記筐体の載置面から突出した状態を維持するように、該第２の当接部を介してアクチュエータを支持する支持手段と、
上記充電を行う機器の載置時において、上記アクチュエータの上記第１の当接部が該機器により押圧された際に、上記第２の当接部の上記切り欠き部が上記支持手段が設けられている位置まで移動するように上記アクチュエータを回転させるアクチュエータ回転手段と、
上記充電を行う機器の載置時に、上記アクチュエータの上記第１の当接部及び上記第２の当接部が該機器により押圧された際に、上記支持手段が上記第２の当接部の上記切り欠き部内に位置するように上記アクチュエータを移動させることで、上記第２の当接部の収納部に収納されている上記出力端子を、該第２の当接部の上記出力端子突出用孔から突出させるアクチュエータ移動手段と
を有する充電装置。
【請求項２】
請求項１に記載の充電装置であって、
上記第２の当接部の上記切り欠き部は、載置された上記充電を行う機器を上記第１の当接部側から先に取り外した際に、上記アクチュエータ回転手段により生ずる当該第２の当接部の回転分を吸収する大きさに切り欠き加工されていること
を特徴とする充電装置。
【請求項３】
請求項１又は請求項２に記載の充電装置であって、
上記アクチュエータ回転手段は、上記アクチュエータの上記第２の当接部が上記筐体から突出する方向に対して直交する方向に沿って該第２の当接部に設けられた回転軸部を有し、
上記アクチュエータ移動手段は、筐体側に固定して設けられ、上記充電を行う機器の載置時に、上記アクチュエータの上記第１の当接部及び上記第２の当接部が該機器により押圧された際に、上記支持手段が上記第２の当接部の上記切り欠き部内に位置するように、上記第２の当接部に設けられた回転軸部の移動方向を規制することで上記アクチュエータの移動方向を規制する移動用溝部を有すること
を特徴とする充電装置。
【請求項４】
請求項３に記載の充電装置であって、
上記アクチュエータの上記第１の当接部、第２の当接部、及び上記回転軸部は、非導通部材により一体成型されていること
を特徴とする充電装置。
【発明の詳細な説明】
【技術分野】
【０００１】
本発明は、例えば携帯電話機、ＰＨＳ電話機（PHS：Personal Handyphone System）、ＰＤＡ装置（PDA：Personal Digital Assistant）等の携帯端末装置の充電装置に適用して好適な充電装置に関し、特に機器が完全に載置された場合のみ充電を開始する充電装置を、マイクロスイッチ等の電気部品を用いることなく、機械的構成のみで実現した充電装置に関する。
【背景技術】
【０００２】
特開２００３−４７１６４号の公開特許公報（特許文献１）において、卓上ホルダに携帯電話機が装着された場合のみ、給電用接片への通電を行う無線電話機用充電装置が開示されている。
【０００３】
この無線電話機用充電装置の場合、卓上ホルダに携帯電話が装着されると、この携帯電話の背面に凸状に形成されたストラップ取付部が、卓上ホルダの携帯電話装着面に形成された凹部に嵌入し、当該凹部内に設けられたスイッチをＯＮ動作させる。スイッチがＯＮとなると、給電用接片への通電が行われ、該給電用接片を介して携帯電話が充電される。
【０００４】
これに対して、卓上ホルダに装着された携帯電話を取り外すと、卓上ホルダの上記凹部から携帯電話の上記ストラップ取付部が外れ、この凹部内に設けられたスイッチをＯＦＦ動作させる。スイッチがＯＦＦとなると、給電用接片への通電が停止され携帯電話に対する充電も停止される。
【０００５】
このような無線電話機用充電装置は、卓上ホルダの凹部内に設けられたスイッチが、携帯電話の凸部であるストラップ取付部でＯＮ操作されない限りは、上記給電用接片に対する通電が行われないようになっている。このため、卓上ホルダに携帯電話機を装着した場合のみ、上記給電用接片への通電を行うことができる。
【０００６】
【特許文献１】特開２００３−４７１６４号公報（第３頁：図１、図２）
【発明の開示】
【発明が解決しようとする課題】
【０００７】
しかし、特許文献１に開示されている無線電話機用充電装置は、電気的なスイッチを用いて給電用接片に対する通電を制御するようになっている。このスイッチのような電気部品を用いると、機械的な構成に加え電気的な構成が必要となるため、全体的に構成が複雑化するうえ、部品点数が多くなることから製造コストも高くなってしまう。
【０００８】
また、卓上ホルダの凹部内に設けられたスイッチをＯＮ動作させるためには、ストラップ取り付け部を凸部状に形成する必要がある。このため、携帯電話の筐体をデザインする際に「凸状のストラップ取り付け部を設けなければならない」という制約を受けることとなり、好ましいことではない。
【０００９】
本発明は上述の課題に鑑みてなされたものであり、機器が装着された場合にのみ通電を行う充電装置を、電気的なスイッチを用いることなく、機械的構成のみ、かつ、少ない部品点数で実現することができ、また、装着する機器のデザインを制約することのないような充電装置の提供を目的とする。
【課題を解決するための手段】
【００１０】
本発明に係る充電装置は、上述の課題を解決するための手段として、
充電を行う機器が載置される筐体と、
上記筐体内に収納された電源供給を行うための充電基板と、
上記充電基板に対して物理的かつ電気的に接続された出力端子と、
上記筐体の上記機器の載置面から突出するように該筐体に設けられる第１の当接部と、この第１の当接部と連動すると共に、上記充電基板に接続された出力端子を収納するための収納部、この収納部に収納されている出力端子を突出させるための出力端子突出用孔、及び上記筐体から突出する部分の反対側の位置に設けられた切り欠き部を備え、該第１の当接部よりも上記載置面からの突出量が少なくなるように上記筐体に設けられる第２の当接部とを有するアクチュエータと、
弾性部材で形成され、上記アクチュエータに対して上記各当接部を上記筐体の載置面から突出させる方向の勢力を付与する勢力付与手段と、
上記筐体に設けられ、上記充電を行う機器の非載置時において、上記アクチュエータの第２の当接部に当接し、上記各当接部が上記筐体の載置面から突出した状態を維持するように、該第２の当接部を介してアクチュエータを支持する支持手段と、
上記充電を行う機器の載置時において、上記アクチュエータの上記第１の当接部が該機器により押圧された際に、上記第２の当接部の上記切り欠き部が上記支持手段が設けられている位置まで移動するように上記アクチュエータを回転させるアクチュエータ回転手段と、
上記充電を行う機器の載置時に、上記アクチュエータの上記第１の当接部及び上記第２の当接部が該機器により押圧された際に、上記支持手段が上記第２の当接部の上記切り欠き部内に位置するように上記アクチュエータを移動させることで、上記第２の当接部の収納部に収納されている上記出力端子を、該第２の当接部の上記出力端子突出用孔から突出させるアクチュエータ移動手段と
を有する。
【００１１】
このような本発明は、上記充電を行う機器の非載置時には、勢力付与手段により付与される、第１、第２の当接部を筐体の載置面から突出させる勢力と、支持手段が第２の当接部に当接して支持することで、筐体の載置面から第１、第２の当接部が突出した状態にアクチュエータを保持する。この状態では、充電基板に接続された出力端子は、第２の当接部内に収納されたままの状態となる。
【００１２】
次に、アクチュエータの第１の当接部及び第２の当接部は、第１の当接部よりも第２の当接部の方が、上記載置面からの突出量が少なくなっている。このため、上記充電を行う機器の載置時には、第２の当接部よりも先に第１の当接部が機器と当接して押圧されることとなる。
【００１３】
第１の当接部が機器により押圧されると、まず、アクチュエータ回転手段が、第２の当接部の切り欠き部を、支持手段が設けられている位置まで移動するように上記アクチュエータを回転させる。この状態は、支持手段が設けられている位置まで第２の当接部の切り欠き部が移動しているため、第２の当接部から支持手段による支持が外れた状態である。従って、第２の当接部を押圧することが可能となる。
【００１４】
次に、この第１の当接部が機器により押圧された状態で第２の当接部が機器により押圧されると、アクチュエータ移動手段が、上記第２の当接部の切り欠き部内に上記支持手段が位置するように上記アクチュエータを移動させる。これにより、第２の当接部の収納部に収納されている出力端子が、該第２の当接部の出力端子突出用孔から突出し、機器側の充電端子と当接して充電が開始される。
【００１５】
このように本発明は、アクチュエータの第１の当接部のみが押圧された際には、第２の当接部の押圧が可能となるのみで、該第２の当接部に収納されている出力端子は突出せず、アクチュエータの第１の当接部が押圧された状態で第２の当接部が押圧された際に、初めて第２の当接部に収納されている出力端子が突出して充電を可能としている。
【発明の効果】
【００１６】
本発明は、機器が装着された場合にのみ通電を行う充電装置を、電気的なスイッチを用いることなく、機械的構成のみ、かつ、少ない部品点数で実現することができる。このため、組み立て簡単とすることができると共に、製造に要する金型も少なくて済み、低コストで製造することができる。
【００１７】
また、充電装置側の構成のみで実現可能であるため、この充電装置に装着する機器のデザインを制約する不都合を防止することができる。
【発明を実施するための最良の形態】
【００１８】
本発明は、携帯電話機の充電装置に適用することができる。
【００１９】
［充電装置の構成］
この本発明の実施の形態となる携帯電話機の充電装置は、図１（ａ），（ｂ）に示すように、外観が略長方形状の上筐体１及び下筐体２同士を突き合わせることで形成されている。この充電装置は、上記上筐体１及び上記下筐体２を突き合わせることで、内部に所定の空隙部を形成するようになっており、この空隙部に、充電回路が設けられた基板や以下に説明するアクチュエータ３等が収納されるようになっている。
【００２０】
また、この充電装置で充電が行われる携帯電話機は、その背面部に充電端子が設けられており、充電の際には、図１（ｂ）に示すように携帯電話機が背面部から当該充電装置に載置されるようになっている。そして、携帯電話機が当該充電装置に載置されると、アクチュエータ３に設けられた出力端子が露出して該携帯電話機の充電端子と当接し、充電が開始されるようになっている。
【００２１】
〔アクチュエータの構成〕
図２に、この充電装置に収納されたアクチュエータ３の斜視図を、図３に、このアクチュエータ３を上側から見た図をそれぞれ示す。この図２及び図３からわかるように、アクチュエータ３は、例えばＡＢＳ樹脂等の非導通部材で形成されており、舌形状のリリースボタン１０、及び略中空円筒形状のドラム１１を有している。このリリースボタン１０及びドラム１１は、該リリースボタン１０及びドラム１１の端部同士を連結する連結アーム１４、１５で連結されている。すなわち、このリリースボタン１０、ドラム１１及び各連結アーム１４、１５は、上記ＡＢＳ樹脂等の非導通部材で一体成形されており、リリースボタン１０及びドラム１１は、各連結アーム１４、１５を介してそれぞれ対で動作するようになっている。
【００２２】
ドラム１１は、それぞれ略円形状を有する右側面部１１ａ及び左側面部１１ｂを有しており、この右側面部１１ａ及び左側面部１１ｂの中心部には、該中心部から突出するかたちで、当該アクチュエータ３に勢力を与えるＺバネ２１を支持するための支持軸１２、１３が設けられている。
【００２３】
また、このドラム１１には、その上面部に、径方向に沿って形成された計５本の溝部１８が略等間隔で設けられている。後に説明するが、この各溝部１８からは、基板１９に接続された各出力端子２０が露出するようになっている。
【００２４】
また、このドラム１１の右側面部１１ａの下側から左側面部１１ｂの下側にかけて連続する切り欠き部２２が設けられている。下筐体２には、図２に示すように上記切り欠き部２２に沿って、該下筐体２から突出する支持板２３が設けられている。
【００２５】
当該充電装置に携帯電話機が載置されていないときには、ドラム１１の底面部に支持板２３が当接することで、ドラム１１の高さ位置を該支持板２３の高さに保持するようになっている。そして、ドラム１１の高さ位置が支持板２３の高さに保持された状態では（＝携帯電話機の非載置時）、図１（ａ）に示すように各出力端子２０がドラム１１内に収納されたままの状態となり、該ドラム１１から各出力端子２０が突出しないようになっている。
【００２６】
これに対して、当該充電装置に携帯電話機が載置されると、支持板２３が、ドラム１１の上記切り欠き部２２に当接するようになり、ドラム１１の高さ位置を、この切り欠き部２２の深さに対応する位置まで引き下げるようになっている。そして、ドラム１１の高さ位置が上記切り欠き部２２の深さに対応する位置まで引き下げられると、図２に示すようにドラム１１の各溝部１８から各出力端子２０が露出して、当該充電装置に載置された携帯電話機の各充電端子に当接するようになっている。
【００２７】
次に、図４に、各出力端子２０及びこのアクチュエータ３に勢力を与えるＺバネ２１の斜視図を示す。各出力端子２０は、例えば針金状の銅部材等の導通部材で形成されており、図４からわかるように、一端部がそれぞれ基板１９に物理的かつ電気的に接続され、中間部が全体的に弾力を有するようにコイル状に形成されると共に、他端部近傍が山状に屈曲加工されている。
【００２８】
また、各出力端子２０は、上記ドラム１１に設けられた溝部１８に対応する間隔で設けられている。そして、上述のように当該充電装置に携帯電話機が載置されていないときには、各出力端子２０がドラム１１内に収納された状態となり、当該充電装置に携帯電話機が載置された際に、各出力端子２０の上記山状に屈曲加工されている部分の山頂の部分が、図２に示すようにドラム１１の溝部１８からそれぞれ露出するようになっている。
【００２９】
次に、アクチュエータ３に勢力を与えるＺバネ２１は、図４からわかるように「Ｚ字形状」を有しており、このＺ字形状の２つの屈折部に相当する部分が、それぞれコイル状に加工されたコイル部２４、２５となっている。各コイル部２４、２５の径は、ドラム１１に設けられた支持軸１２、１３の径よりも若干大きめの径となっており、当該コイル部２４、２５に対していずれの支持軸１２、１３も挿通可能となっている。
【００３０】
［充電装置の組み立て工程］
このような充電装置を組み立てる場合、図４に示したように各出力端子２０が設けられた基板１９を下筐体２内に組み込むと共に、アクチュエータ３のリリースボタン１０を基板１９側に位置させた状態で、ドラム１１の各溝部１８から上記各出力端子２０をそれぞれ突出させるように、該アクチュエータ３を配置する。
【００３１】
次に、図２に示すようにアクチュエータ３のドラム１１に設けられた支持軸１２にＺバネ２１のコイル部２４を挿通させると共に、当該Ｚバネ２１の一端部２１ａを、上記連結アーム１４に設けられたバネ止め部１６に係止させる。
【００３２】
次に、図３に示すように当該充電装置の下筐体２から、当該充電装置の短手方向に突出するかたちで設けられた固定支持軸２７にＺバネ２１のコイル部２５を挿通させると共に、このＺバネ２１の他端部２１ｂを、上記下筐体２の底面部に設けられたバネ止め部２６に係止させる。
【００３３】
なお、図２及び図３においては、支持軸１２側に配置されたＺバネ２１のみ図示されているが、支持軸１３側にも、これと同様にＺバネ２１が配置されるものと理解されたい。
【００３４】
このようにＺバネ２１を配置することで、Ｚバネ２１の勢力により、アクチュエータ３全体が、下筐体２の形成方向に対して垂直方向に押し上げられ、各溝部１８から突出していた各出力端子２０がそれぞれドラム１１内に収納された状態となる。
【００３５】
次に、図１に示すように上筐体１に設けられているリリースボタン用孔部３０及びドラム用孔部３１から、上記下筐体２に設けられたアクチュエータ３のリリースボタン１０及びドラム１１を突出させ、この状態で上筐体１と下筐体２を突き合わせて固定する。これにより、当該充電装置が組み上がることとなる。
【００３６】
ここで、図５に示すように上筐体１には移動溝形成用片部３３が、下筐体２には移動溝形成用片部３４が設けられており、上筐体１及び下筐体２を上述のように突き合わせて固定すると、各移動溝形成用片部３３、３４同士も突き合わされ、移動用溝部３２を形成するようになっている。アクチュエータ３は、各移動溝形成用片部３３、３４により形成された各移動用溝部３２により、ドラム１１に設けられた各支持軸１２，１３を介して、図５中矢印で示す斜め下方向に移動可能に支持されるようになっている。
【００３７】
また、アクチュエータ３は、当該充電装置が組み上がった状態では、図５中点線で示す支持板２３上に該ドラム１１の底面部を乗り上げたかたちで、該支持板２３により支持されるようになっている。
【００３８】
［充電装置の機械的動作］
次に、このような構成を有する当該実施の形態の充電装置の機械的な動作を説明する。まず、図６（ａ）に、当該充電装置に携帯電話機が載置される直前における該充電装置を側面側から見た透視図を、図７（ａ）に、この場合におけるアクチュエータ３部分の斜視図を示す。
【００３９】
この図６（ａ）及び図７（ａ）からわかるように、当該実施の形態の充電装置に携帯電話機が載置されていない状態では、携帯電話機によりアクチュエータ３に対して何ら力が加えられていないため、Ｚバネ２１の勢力及び支持板２３の支持により、アクチュエータ３全体が、下筐体２の形成方向に対して垂直方向に押し上げられられたままの状態が維持される。そして、この状態では、各出力端子２０はドラム１１内に収納されたままとなる。
【００４０】
次に、図６（ｂ）に、当該充電装置に携帯電話機を載置し始めた状態における、該充電装置を側面側から見た透視図を、図７（ｂ）に、この場合におけるアクチュエータ３部分の斜視図を示す。
【００４１】
図６（ａ）に示したように、充電装置に携帯電話機が載置されていない状態では、アクチュエータ３のリリースボタン１０の高さ位置は、ドラム１１の高さ位置よりも高い位置に維持されている（＝上筐体１の上面部（＝携帯電話機の載置面）から突出しているドラム１１の突出量よりもリリースボタン１０の突出量の方が多い。）。このため、当該充電装置に携帯電話機を載置し始めると、携帯電話機の背面部は、リリースボタン１０に対して先に当接し、次にドラム１１に当接することとなる。
【００４２】
図６（ｂ）及び図７（ｂ）は、携帯電話機の背面部がリリースボタン１０に当接しているが、ドラム１１には当接していない状態を示している。この状態においては、携帯電話機の背面部によりリリースボタン１０のみが押し下げられるため、アクチュエータ３は、ドラム１１の支持軸１２、１３を回転軸として、図７（ｂ）中矢印で示す反時計回り方向に回転する。
【００４３】
上述のように、アクチュエータ３のドラム１１は支持板２３により支持されているのであるが、リリースボタン１０のみが押し下げられ、反時計回り方向に回転すると、ドラム１１に設けられている切り欠き部２２の位置が支持板２３の位置まで移動する。これにより、ドラム１１を支持する支持板２３が該ドラム１１から外された状態となり、ドラム１１の押し込み操作が可能な状態となる。
【００４４】
次に、図６（ｃ）に、当該充電装置に携帯電話機が完全に載置された状態における、該充電装置を側面側から見た透視図を、図７（ｃ）に、この場合におけるアクチュエータ３部分の斜視図を示す。
【００４５】
リリースボタン１０のみが押し下げられることで、ドラム１１に設けられている切り欠き部２２の位置が支持板２３の位置まで移動して該ドラム１１の押し込み操作が可能となった状態において、携帯電話機の背面部によりドラム１１が押圧操作されると、図５中及び図６（ｃ）中にそれぞれ矢印Ｄで示すように、ドラム１１の支持軸１２、１３が移動用溝部３２に沿って移動して、ドラム１１の切り欠き部２２内に支持板２３が収納されたかたちとなり、アクチュエータ３全体が右斜め下方向に移動する。
【００４６】
この状態となると、それまでドラム１１内に収納されていた各出力端子２０の山状に屈曲加工されている部分が、図７（ｃ）に示すようにドラム１１の各溝部１８から突出する。そして、この突出した各出力端子２０が、携帯電話機の背面部に設けられた充電端子に当接する。これにより、携帯電話機のバッテリに対して充電が開始されることとなる。
【００４７】
［ドラムに設けられた間隙部の機能］
ここで、このように当該実施の形態の充電装置に装着された携帯電話機を取り外す場合、図６（ｃ）の矢印Ａで示すように携帯電話機全体を充電装置に対して垂直に持ち上げるかたちで取り外せば問題はないのであるが、図６（ｃ）の矢印Ｂで示すように当該携帯電話機がアクチュエータ３のリリースボタン１０側から取り外された場合、以下に説明する不具合を生ずるおそれがある。
【００４８】
当該充電装置に携帯電話機が完全に載置された際に、図８（ａ）に示すようにドラム１１に設けられている切り欠き部２２の切り欠き面４０と支持板２３との間に余裕（間隙部）を設けることなく両者が当接した状態にしてしまうと、図６（ｃ）の矢印Ｂで示すように当該携帯電話機をアクチュエータ３のリリースボタン１０側から取り外した場合、Ｚバネ２１の勢力により、ドラム１１よりもリリースボタン１０の方が先に押し上げられることで、ドラム１１が時計回り方向に回転し、このドラム１１の回転により切り欠き面４０で支持板２３が蹴られるようになる。また、当該充電装置に携帯電話機が完全に載置されると、図８（ａ）に矢印Ａとして示すようにＺバネ２１の下のコイル部２５に撓みが発生する。
【００４９】
このため、ドラム１１の切り欠き面４０で支持板２３が蹴られることで、Ｚバネ２１の下のコイル部２５に撓みが発生した分、アクチュエータ３全体が図８（ａ）に矢印Ｃに示すように、当該充電装置の長手方向に移動する不都合を生ずるおそれがある。
【００５０】
このようなことから当該実施の形態の充電装置は、当該充電装置に携帯電話機が完全に載置された際に、図８（ｂ）に示すようにドラム１１の切り欠き部２２の切り欠き面４０と支持板２３との間に所定の間隙部を形成するように、該ドラム１１の切り欠き部２２が切り欠き加工されている。
【００５１】
この切り欠き部２２の切り欠き加工の程度としては、上記Ｚバネ２１の下のコイル部２５に生ずる撓み分よりも若干大きめで、当該充電装置に載置された携帯電話機がリリースボタン１０側から取り外された際に回転するドラム１１の回転分を吸収可能な大きさ（＝切り欠き面４０と支持板２３とを当接させない大きさ）となっている。
【００５２】
これにより、当該充電装置に載置された携帯電話機がリリースボタン１０側から取り外された場合でも、回転するドラム１１の回転分を上記間隙部で吸収することができるため、アクチュエータ３全体が当該充電装置の長手方向に移動する不都合を防止することができる。
【００５３】
［実施の形態の効果］
以上の説明から明らかなように、この実施の形態の充電装置は、携帯電話機の載置面から突出するドラム１１の突出量よりも、リリースボタン１０の突出量が多くなるように、該リリースボタン１０及ドラム１１が設けられており、携帯電話機を載置する際に、まず、携帯電話機の背面部がリリースボタン１０を押し下げる。リリースボタン１０が押し下げられると、アクチュエータ３がドラム１１の支持軸１２、１３を回転軸として反時計回り方向に回転し、ドラム１１を支持していた支持板２３の位置に、ドラム１１の切り欠き部２２が位置するようになり、支持板２３の支持が外れ、ドラム１１が押し下げ操作可能となる。
【００５４】
この状態で、携帯電話機をさらに押し下げると、携帯電話機の背面部にドラム１１が当接し、該ドラム１１が押し下げられ、ドラム１１の支持軸１２、１３が移動用溝部３２に沿って移動することで、ドラム１１の切り欠き部２２内に支持板２３が収納されたかたちとなり、アクチュエータ３全体が右斜め下方向に移動する。
【００５５】
これにより、アクチュエータ３全体が各筐体１、２内に落ち込むと共に、それまでドラム１１内に収納されていた各出力端子２０が該ドラム１１の溝部１８からそれぞれ突出し、携帯電話機の背面側に設けられている充電端子と当接して充電が開始される。
【００５６】
すなわち、当該実施の形態の充電装置は、
１．携帯電話機を載置することで、まず、リリースボタン１０が押し下げられ、ドラム１１の押し下げ操作が可能となる、
２．この状態で、さらに携帯電話機を押し下げることで、携帯電話機の背面部によりドラム１１が押し下げられ、ここで初めて各出力端子２０が突出する、
という「２アクション」で動作するようになっている。
【００５７】
換言すれば、リリースボタン１０を押し下げただけでは各出力端子２０は突出せず、リリースボタン１０及びドラム１１を同時に押し下げることで、初めて各出力端子２０がドラム１１から突出するようになっている。
【００５８】
このため、リリースボタン１０及びドラム１１のうち、いずれか一方のみが押し下げられた場合には、各出力端子２０が突出しないため充電は行われず、当該充電装置の載置面に携帯電話機を完全に載置され、リリースボタン１０及びドラム１１が共に押し下げ操作されるという、真の充電時のみ、各出力端子２０を突出させて充電を行うことができる。
【００５９】
また、この充電装置は、リリースボタン１０及び各出力端子を収納するドラム１１を備えたアクチュエータ３と、このアクチュエータ３に勢力を与えるＺバネ２１と、携帯電話機の載置時にアクチュエータ３を右斜め下方向に移動させるための移動用溝部３２と、携帯電話機の非載置時には、アクチュエータ３のドラム１１を支持し、携帯電話機の載置時には、ドラム１１の切り欠き部２２内に収納される支持板２３とで形成することができる。
【００６０】
このため、マイクロスイッチ等の電気部品を用いることなく、真に機械的な構成のみ、かつ、少ない部品点数で実現することができ、組み立て簡単とすることができると共に、製造に要する金型も少なくて済み、低コストで製造することができる。
【００６１】
また、携帯電話機側の構成要素を不要とすることができ、当該充電装置側の構成のみで実現可能であるため、この充電装置に装着する携帯電話機のデザインを制約する不都合を防止することができる。
【００６２】
また、この充電装置は、当該充電装置に携帯電話機が完全に載置された際に、ドラム１１の切り欠き部２２の切り欠き面４０と支持板２３との間に所定の間隙部を形成するように、該ドラム１１の切り欠き部２２が切り欠き加工されている。このため、当該充電装置に載置された携帯電話機がリリースボタン１０側から取り外された場合でも、回転するドラム１１の回転分を上記間隙部で吸収することができ、アクチュエータ３全体が当該充電装置の長手方向に移動する不都合を防止することができる。
【００６３】
［変形例］
上述の実施の形態の説明では、当該充電装置は、携帯電話機の背面部側に設けられている充電端子に対して出力端子２０を当接させて充電を行うこととしたが、当該充電装置は、この携帯電話機側の充電端子が設けられる位置に限定されることはない。
【００６４】
すなわち、携帯電話機側の充電端子が、例えば携帯電話機の側面部や底面部等のいずれの面部に設けられていても、当該充電装置に携帯電話機が完全に載置された際に、該携帯電話機の充電端子に出力端子２０が当接して充電を開始する構成であれば、上述と同じ効果を得ることができる。
【００６５】
また、上述の実施の形態の説明では、アクチュエータ３のドラム１１は中空円筒形状であることとしたが、各出力端子２０を収納可能な形状であれば、この他、中空の矩形形状や中空の三角形状等の他の形状としてもよい。また、リリースボタン１０の形状も同様であり、携帯電話機の載置面からの突出量がドラム１１の突出量よりも多いのであれば、どのような形状としてもよい。そして、いずれの場合も上述と同じ効果を得ることができる。
【００６６】
また、上述の実施の形態の説明では、本発明を携帯電話機用の充電装置に適用することとしたが、本発明は、この他、ＰＨＳ電話機（PHS：Personal Handyphone System）、ＰＤＡ装置（PDA：Personal Digital Assistant）等の他の携帯端末装置用の充電装置に適用してもよい。この場合でも、上述と同様の効果を得ることができる。
【００６７】
最後に、本発明は、本発明の一例として開示したに過ぎない上述の実施の形態に限定されることはなく、本発明に係る技術的思想を逸脱しない範囲であれば、上述の実施の形態以外であっても設計等に応じて種々の変更が可能であることは勿論であることを付け加えておく。
【図面の簡単な説明】
【００６８】
【図１】本発明を適用した実施の形態となる充電装置に対して携帯電話機を載置する前、及び携帯電話機を載置した状態の斜視図である。
【図２】実施の形態の充電装置に設けられているアクチュエータの斜視図である。
【図３】実施の形態の充電装置に設けられているアクチュエータの上面図である。
【図４】実施の形態の充電装置のアクチュエータに設けられている各出力端子、及びアクチュエータに勢力を与えるＺバネの斜視図である。
【図５】実施の形態の充電装置に設けられているアクチュエータの移動方向を説明するための図である。
【図６】実施の形態の充電装置に対して携帯電話機が載置されることによるアクチュエータの動作を説明するための透視図である。
【図７】実施の形態の充電装置に対して携帯電話機が載置されることによるアクチュエータの動作を説明するための斜視図である。
【図８】実施の形態の充電装置のアクチュエータのドラムに設けられている間隙部の機能を説明するための斜視図である。
【符号の説明】
【００６９】
１  上筐体、２  下筐体、３  アクチュエータ、１０  アクチュエータのリリースボタン、１１  アクチュエータのドラム、１２  ドラムの一方の支持軸、１３  ドラムの他方の支持軸、１４  アクチュエータのリリースボタンとドラムを接続する一方の接続アーム、１５  アクチュエータのリリースボタンとドラムを接続する他方の接続アーム、１６  一方の接続アームに設けられたバネ止め部、１７  他方の接続アームに設けられたバネ止め部、１８  ドラムの溝部、１９  基板、２０  出力端子、２１  アクチュエータに勢力を与えるＺバネ、２２  ドラムの下側に設けられた切り欠き部、２３  ドラムを支持するための支持板、２４  ドラムの支持軸に挿通されるＺバネのコイル部、２５  下筐体から突出した固定支持軸に挿通されるＺバネのコイル部、２６  下筐体側に設けられたＺバネのバネ止め部、２７  下筐体から突出した固定支持軸、３２  上筐体及び下筐体を突き合わせることで形成されるアクチュエータの移動用溝部、３３  上筐体側に設けられた移動溝形成用片部、３４  下筐体側に設けられた移動溝形成用片部、４０  ドラムの切り欠き部の切り欠き面
【図１】
0004428536.tif 000002
【図２】
0004428536.tif 000003
【図３】
0004428536.tif 000004
【図４】
0004428536.tif 000005
【図５】
0004428536.tif 000006
【図６】
0004428536.tif 000007
【図７】
0004428536.tif 000008
【図８】
0004428536.tif 000009